(57)【特許請求の範囲】
【請求項１】
口筒部を有して内容液が充填される容器本体と、ピストンを内蔵するシリンダを有して口筒部上端との間が環状のシール部材を介して封止されるボディと、当該ボディに回動可能に支持されるレバーとを備え、当該レバーの牽曳及び復帰の繰り返しによってピストンを往復運動させ、容器本体の内容液をボディの内側に形成した通路を通してシリンダに吸引するとともに外界に噴出させるトリガー式液体噴出容器であって、
前記シリンダに、口筒部の上端開口部を通して容器本体内を外界に通じさせる貫通孔を形成するとともに、当該貫通孔をピストンによって開放可能に閉じる一方、
前記通路に、シリンダに生じた負圧によって前記通路から離間して容器本体からの内容液を導入する第１の環状舌片と、シリンダから圧送された内容液の圧力によって前記通路から離間して当該内容液を外界に排出する第２の環状舌片と、円筒状の固定部とが一体に設けられた複合弾性弁を配置し、
前記ボディに吸入パイプを固定するパイプホルダを、前記複合弾性弁を抜け止め保持する抜け止め保持部材として一体に設け、
前記固定部を前記通路の内周面に嵌合固定させるとともに、前記パイプホルダに設けた円筒部を前記固定部の内周面に嵌合させたことを特徴とするトリガー式液体噴出容器。
【請求項２】
請求項１において、前記通路とシリンダとの間に肉抜き空間を形成する仕切壁を設け、当該仕切壁に、第１の環状舌片を接触させたことを特徴とするトリガー式液体噴出容器。
【発明の詳細な説明】
【技術分野】
【０００１】
本発明は、レバーの牽曳及び復帰の繰り返しによって内容物を外界に噴出させるトリガー式液体噴出容器に関するものである。
【背景技術】
【０００２】
従来のトリガー式液体噴出容器には、内容液が噴射されるに従い、容器本体内の圧力が低下することを考慮して、容器本体の口筒部上端との間が環状のシール部材を介して封止されるボディに、容器本体内を外界に通じさせる貫通孔を形成することで、容器本体内と外界との空気置換を行うものがある（例えば、特許文献１参照）。
【先行技術文献】
【特許文献】
【０００３】
【特許文献１】特開２００６−２０５０４５号公報
【発明の概要】
【発明が解決しようとする課題】
【０００４】
しかしながら、こうしたトリガー式液体噴出容器は、その空気置換が貫通孔を通して行われるため、容器本体内が常時外界に開放されていることになる。従って、従来のトリガー式液体噴出容器は、内容液を吸入・加圧・圧送するための内圧（蓄圧）の確保に改善の余地がある。
【０００５】
加えて、トリガー式の噴出器は部品点数が多く、組立工程も増えることから、結果的に、製品コストが上昇するという問題もある。
【０００６】
本発明の目的とするところは、容器本体とボディとの間の密閉性を適宜確保することで、良好な内容液の取り出しを可能にしつつ、省パーツ化の図られた新規なトリガー式液体噴出容器を提供することにある。
【課題を解決するための手段】
【０００７】
本発明は、口筒部を有して内容液が充填される容器本体と、ピストンを内蔵するシリンダを有して口筒部上端との間が環状のシール部材を介して封止されるボディと、当該ボディに回動可能に支持されるレバーとを備え、当該レバーの牽曳及び復帰の繰り返しによってピストンを往復運動させ、容器本体の内容液をボディの内側に形成した通路を通してシリンダに吸引するとともに外界に噴出させるトリガー式液体噴出容器であって、
前記シリンダに、口筒部の上端開口部を通して容器本体内を外界に通じさせる貫通孔を形成するとともに、当該貫通孔をピストンによって開放可能に閉じる一方、
前記通路に、シリンダに生じた負圧によって前記通路から離間して容器本体からの内容液を導入する第１の環状舌片と、シリンダから圧送された内容液の圧力によって前記通路から離間して当該内容液を外界に排出する第２の環状舌片とが一体に設けられた複合弾性弁を配置し、
前記ボディに吸入パイプを固定するパイプホルダを、前記複合弾性弁を抜け止め保持する抜け止め保持部材として一体に設け、
前記固定部を前記通路の内周面に嵌合固定させるとともに、前記パイプホルダに設けた円筒部を前記固定部の内周面に嵌合させたことを特徴とするものである。
【０００８】
本発明によれば、前記通路とシリンダとの間に肉抜き空間を形成する仕切壁を設け、当該仕切壁に、前記第１の環状舌片を接触させることができる。
【発明の効果】
【００１０】
本発明によれば、シリンダに形成した貫通孔は、ピストンで封止されていることから、レバーを操作しない状態においては、容器本体内が外界に開放されることがない。また、使用開始時においては、レバーを牽曳することで、ピストンをシリンダに対して押し込めば、貫通孔からピストンが移動することで、シリンダに貫通孔を形成することができる。
【００１１】
即ち、レバーの牽曳及び復帰の繰り返しによって内容液を噴出させても、レバーの牽曳に伴いピストンが押し込まれると貫通孔を開くことで、容器本体内と外界との空気置換を行うことができる。しかも、レバーの牽曳を解除してレバーを復帰させれば、ピストンが初期位置に復帰して貫通孔を閉じることで、再び、容器本体内が外界に開放されることがない。
【００１２】
また、本発明は、ボディの内側に形成された通路に、２つの環状舌片を一体に有する複合弾性弁を配置し、第１の環状舌片では、シリンダに生じた負圧によって前記通路から離間して容器本体からの内容液を導入する一方、第２の環状舌片では、シリンダから圧送された内容液の圧力によって前記通路から離間して当該内容液を外界に排出する。これにより、第１通路内に吸入弁と排出弁とを個別に配置することなく、シリンダに吸引された内容液をピストンとの間で適宜、蓄圧して噴出させることができる。
【００１３】
従って、本発明によれば、容器本体とボディとの間の密閉性を適宜確保することで、良好な内容液の取り出しを可能にしつつ、省パーツ化を図ることができる。
【００１４】
特に、前記通路とシリンダとの間に設けた仕切壁に肉抜き空間を形成すれば、ボディを射出成形等しても、仕切壁が極度に厚くなったり、仕切壁の内周面に「ひけ」等を生じにくい。従って、仕切壁に肉抜き空間を形成して、当該仕切壁に、第１の環状舌片を接触させれば、第１の環状舌片での密封性を高めることができる。
【図面の簡単な説明】
【００１５】
【図１】本発明である、トリガー式液体噴出容器の一形態である、トリガー式噴霧容器を示す要部断面図である。
【図２】同形態に係るポンプユニットを、レバー、付勢部材及びポンプ本体に分解して示す分解図である。
【発明を実施するための形態】
【００１６】
以下、図面を参照して、本発明の一形態である、トリガー式噴霧容器を詳細に説明する。
【００１７】
符号１は、例えば、口筒部１ａを有し整髪料等を内容液として充填する合成樹脂製の容器本体である。口筒部１ａには、肩部１ｂを介して胴部１ｃが一体に繋がる。口筒部１ａの上端１ｅには、内容液の充填空間Ｓ１に通じる開口部Ａ１が形成されている。
【００１８】
符号Ｐは、開口部Ａ１を通して充填空間Ｓ１の内容液を噴霧させるためのポンプユニットである。ポンプユニットＰは、口筒部１ａに固定されるボディ２を有する。ボディ２は、本体（以下、「ボディ本体」）２ａを有し、このボディ本体２ａに、内容液を吸引、加圧、圧送するためのシリンダ２ｂが一体に設けられている。シリンダ２ｂは、ボディ本体２ａの内側に形成された第１通路ｒ１に対して貫通孔Ａ２を通して繋がる。また、シリンダ２ｂの内側には、ピストン３が配置されている。ピストン３は、シリンダ２ｂとの間にポンプ室Ｓ２を形成する。
【００１９】
更に、ボディ本体２ａには、シリンダ２ｂの上方に間隔を置いて延長流路部２ｃが一体に設けられている。延長流路部２ｃには、第１通路ｒ１に通じる第２通路ｒ２が形成されている。また、延長流路部２ｃには、支持盤２ｄが一体に垂下する。
【００２０】
延長流路部２ｃの先端には、ノズル４が固定されている。ノズル４は、ノズル本体４ａとヒンジキャップ４ｂを有する。ノズル本体４ａの先端には、内容液を噴出させるための噴出口Ａ３が形成されている。ノズル本体４ａの先端内側には、内容液を噴霧させるための噴霧エレメント５が設けられている。ノズル本体４ａは、延長流路部２ｃと共に、第１流路ｒ１を外界に通じさせる第２通路ｒ２を形成する。
【００２１】
符号６は、ボディ２に回動可能に支持されるレバーである。本形態では、レバー６は、支持盤２ｄに設けた軸部２ｓを介して回動可能に支持されている。ピストン３は、レバー４の牽曳及び復帰の繰り返しによって動作する。ピストン３は、シリンダ２ｂ内に摺動可能に保持されるピストン本体３ａと、このピストン本体３ａに一体に繋がるフック部３ｂを有する。ピストン３は、フック部３ｂによって、レバー６に設けた軸部６ｓに対して回転可能に支持されている。
【００２２】
ボディ２とレバー６との間には、レバー６の牽曳に対する復元力を与える付勢部材７が配置されている。付勢部材７は、ボディ２に固定される固定ブロック部７ａを有し、この固定ブロック部７ａと一体に繋がる２つの弾性アーム片７ｂによってレバー６を牽曳可能な初期位置に付勢する。
【００２３】
一方、符号８は、第１通路ｒ１に配置された複合弾性弁である。複合弾性弁８は、吸入パイプ９を固定するパイプホルダ１０によって、ボディ２に対して抜け止め保持されている。パイプホルダ１０は、例えば、ボディ本体２ａに対して凹凸嵌合等の方法により固定される。
【００２４】
複合弾性弁８は、変形及び復元の可能な合成樹脂からなる。複合弾性弁８は、第１通路ｒ１の入り側（吸入側）内周面に固定される固定部８ａを有する。固定部８ａは、第１通路ｒ１の内周面に嵌合させることができる。但し、複合弾性弁８は、上述のとおり、パイプホルダ１０によって抜け止め保持されている。このため、固定部８ａは、必ずしも第１通路ｒ１の内周面に嵌合させることはない。
【００２５】
固定部８ａには、第１通路ｒ１に沿って延在する本体部８ｂが一体に設けられている。本体部８ｂは、その外径寸法が固定部８ａよりも小さい。このため、第１通路ｒ１は、本体部８ｂとの間に形成された環状の隙間として構成される。
【００２６】
また、本体部８ｂの内側には、固定部８ａとともに、第１通路ｒ１に沿って延在する凹部８ｎが形成されている。凹部８ｎは、吸入パイプ９の内部通路ｒ３及びパイプホルダ１０の内部通路ｒ４を通して充填空間Ｓ１に通じる。また、本体部８ｂには、固定部８ａとの近傍に、凹部８ｎを外界に通じさせる貫通孔Ａ４が形成されている。これにより、充填空間Ｓ１は、貫通孔Ａ４を通して第１通路ｒ１に通じる。
【００２７】
更に、本体部８ｂには、第１通路ｒ１に沿って間隔を置いて、第１の環状舌片８ｃと、第２の環状舌片８ｄとが一体に設けられている。
【００２８】
第１の環状舌片８ｃは、貫通孔Ａ４と貫通孔Ａ２との間に設けられている。第１の環状舌片８ｃは、本体部８ｂを全周に亘って取り囲む環状体としてなる。第１の環状舌片８ｃは、第１通路ｒ１の出側（排出側）に向かって拡径し、その末端部８ｃ1によって第１通路ｒ１の内周面が密閉保持される。これにより、末端部８ｃ1がシール部として機能する。
【００２９】
これに対し、第２の環状舌片８ｄは、貫通孔Ａ２と第２通路ｒ２との間に設けられている。第１通路ｒ１には、ボディ本体２ａの天壁から第２通路ｒ２に通じる筒状部２ｅが一体に垂下する。また筒状部２ｅの内側には、ボディ本体２ａの天壁から本体８ｂに接触する当接ピン２ｐが一体に垂下する。
【００３０】
第２の環状舌片８ｄは、筒状部２ｅの内側に配置される。第２の環状舌片８ｄは、当接ピン２ｐを全周に亘って取り囲む環状体としてなる。第２の環状舌片８ｄも、第１通路ｒ１の出側に向かって拡径し、その末端部８ｄ1によって筒状部２ｅの内周面が密閉保持される。これにより、末端部８ｄ1がシール部として機能する。
【００３１】
これにより、第１の環状舌片８ｃは、シリンダ２ｂ内に負圧が生じると、その負圧によって第１通路ｒ１から離間して容器本体１からの内容液を第１通路ｒ１に導入する。また、第２の環状舌片８ｄは、シリンダ２ｂから圧送された内容液の圧力によって第１通路ｒ１の筒状部２ｅの内周面から離間して当該内容液を第２通路ｒ２に圧送する。
【００３２】
従って、レバー６の牽曳及び復帰を繰り返せば、容器本体１の内容液をボディ２の内側に形成した第１通路ｒ１を通してシリンダ２ｂに吸引するとともに第２通路ｒ２を通して外界に噴出させることができる。
【００３３】
一方、ボディ２は、ボディ本体２ａに一体に繋がる肩部２ｆを有する。肩部２ｆには、ボディ２を口筒部１ａに装着するためのリングキャップ１２が回転可能に設けられている。リングキャップ１２は、口筒部１ａに対してねじ付けることができる。これにより、ポンプユニットＰを容器本体１に対して装着することができる。
【００３４】
ボディ２は、その肩部２ｆで、口筒部上端１ｅとの間に配置した環状のシール部材１１を挟んで開口部Ａ１を封止する。シール部材１１としては、例えば、Ｏリング等を用いる。
【００３５】
肩部２ｆは、シリンダ２ｂとの間が支持片２ｓによって一体に連結されている。シリンダ２ｂには、支持片２ｇの内側を貫通する貫通孔（以下、「空気置換孔」）Ａ５が設けられている。空気置換孔Ａ５は、支持片２ｓ内を通って口筒部上端１ｅに形作られた開口部Ａ１に通じる。なお、本形態では、空気置換孔Ａ５は、シール部材１１を避けるため、肩部２ｆに形成した迂回通路ｒ５を通って充填空間Ｓ１に通じるが、本発明に従えば、空気置換孔Ａ５は直接、充填空間Ｓ１に通じさせることができる。
【００３６】
空気置換孔Ａ５は通常、ピストン本体３ａによって密封されている。ピストン本体３ａは、２つの環状のシール面３ａ1及び３ａ2を有する。シール面３ａ1及び３ａ2は、間隔を置いて配置されている。シール面３ａ1及び３ａ2は、図１に示すように、付勢部材７の復元力に伴う初期位置では、空気置換孔Ａ５をその内側で覆うことで密閉する。これにより、ピストン３は、初期位置において、空気置換孔Ａ５を開放可能に密封することができる。
【００３７】
これに対し、レバー６を牽曳すれば、ピストン３がシリンダ２ｂ内に押し込まれることで、シール面３ａ1及び３ａ2はそれぞれ、空気置換孔Ａ５から外側の位置に移動する。これにより、空気置換孔Ａ５がピストン３から開放されることで、容器本体１内の充填空間Ｓ１も、開口部Ａ１を通して外界に開放される。そして、レバー６の牽曳を解除すれば、付勢部材７の復元力により、ピストン３が初期位置に復帰することから、空気置換孔Ａ５は再び密封される。
【００３８】
このように、本形態によれば、シリンダ２ｂに形成した空気置換孔Ａ５は、レバー６を操作しない状態においては、図１に示すように、ピストン３で封止されていることから、容器本体１の充填空間Ｓ１が外界に開放されることがない。
【００３９】
また、使用開始時においては、レバー６を牽曳することで、ピストン３をシリンダ２ｂに対して押し込めば、空気置換孔Ａ５からピストン３が移動することで、シリンダ２ｂに空気置換孔Ａ５を形成することができる。
【００４０】
これにより、容器本体１に装着されたポンプユニットＰは、レバー６の牽曳及び復帰の繰り返しによって、ピストン３が動作することで、ポンプ室Ｓ２に吸入されて加圧された内容液は、第１通路ｒ１及び第２通路ｒ２を通して噴出口Ａ３から噴霧される。このように、レバー６の牽曳及び復帰の繰り返しによって内容液を噴出させても、レバー６の牽曳に伴いピストン３が押し込まれると空気置換孔Ａ５を開くことで、外界との空気置換を行うことができる。しかも、レバー６の牽曳を解除してレバー６を復帰させれば、ピストン３が初期位置に復帰して空気置換孔Ａ５を閉じることで、再び、充填空間Ｓ１が外界に開放されることがない。
【００４１】
また、本形態は、ボディ２の内側に形成された第１通路ｒ１に、２つの環状舌片８ｃ，８ｄを一体に有する複合弾性弁８を配置し、第１の環状舌片８ｃでは、シリンダ２ｂに生じた負圧によって第１通路ｒ１から離間して容器本体からの内容液を導入する一方、第２の環状舌片８ｄでは、シリンダ２ｂから圧送された内容液の圧力によって第１通路ｒ１から離間して当該内容液を外界に排出する。これにより、第１通路ｒ１内に吸入弁と排出弁とを個別に配置することなく、シリンダ２ｂに吸引された内容液をピストン３との間で適宜、蓄圧して噴出させることができる。
【００４２】
このように、本形態によれば、容器本体１とボディ２との間の密閉性を適宜確保することで、良好な内容液の取り出しを可能にしつつ、省パーツ化を図ることができる。
【００４３】
ところで、本形態では、図１に示すように、第１通路ｒ１とシリンダ２ｂとの間の仕切壁２ｈには、肉抜き空間Ｓ３が形成されている。肉抜き空間Ｓ３は、図３に示すように、ボディ本体２ａとシリンダ２ｂとの間をシリンダ軸線に対して直交するように横方向に貫通する。本形態では、２つの連結片を介して連結されている。これにより、仕切壁２ｈは、第１通路側仕切壁２ｈ1とシリンダ側仕切壁２ｈ2とで構成されている。
【００４４】
本形態では、仕切壁２ｈの内周面（第１通路側仕切壁２ｈ1）に、第１の環状舌片８ｃを接触させている。仕切壁２ｈに、肉抜き空間Ｓ３を形成すれば、ボディ２を射出成形等しても、仕切壁２ｈが極度に厚くなったり、仕切壁２ｈの内周面に「ひけ」等を生じにくい。従って、仕切壁２ｈに肉抜き空間Ｓ３を形成すれば、第１の環状舌片８ｃでの密封性が高められる。
【００４５】
更に、空気置換孔Ａ５の封止を、ピストン３で行うことも、省パーツ化に有効である。
【００４６】
本形態では、リングキャップ１２をボディ２と別体に設けることで、容器本体１に対するノズル４の方向合せを容易にしている。但し、リングキャップ１２はボディ２と一体に設けることができる。この場合、省パーツ化に有効である。また、リングキャップ１２を一体に設ける場合、口筒部１ａとボディ２との間を効果的に密封することで、更に良好な噴出を実現できる。また、リングキャップ１２は、口筒部１ａに螺合させる構成のものの他、アンダーカット嵌合するもの等、口筒部１ａに対する装着方法はこれに限定されるものではない。
【００４７】
上述したところは、本発明の一形態を示したにすぎず、特許請求の範囲において、種々の変更を加えることができる。例えば、噴霧エレメント５は、泡生成エレメントに置き換えることができ、或いは、エレメントを省略することもできる。
【産業上の利用可能性】
【００４８】
本発明は、容器本体の口筒部上端との間が環状のシール部材を介して封止されるボディを有し、当該ボディのシリンダに配置されたピストンを、レバーの牽曳及び復帰の繰り返しによって動作させ、容器本体から内容液を噴出させるトリガー式液体噴出容器であれば、内容液の成分等は問わず、様々なものに適用することができる。
【符号の説明】
【００４９】
１      容器本体
１ａ    口筒部
１ｂ    肩部
１ｃ    胴部
１ｅ    口筒部上端
２      ボディ
２ａ    ボディ本体
２ｂ    シリンダ
２ｃ    延長流路部
２ｄ    支持盤
２ｅ    筒状部
２ｆ    肩部
２ｈ    仕切壁
２ｈ1   第１通路側仕切壁
２ｈ2   シリンダ側仕切壁
３      ピストン
３ａ    ピストン本体
３ａ1   シール面
３ａ2   シール面
３ｂ    フック部
４      ノズル
５      噴霧エレメント
６      レバー
６ｓ    軸部
７      付勢部材
７ａ    固定ブロック部
７ｂ    弾性アーム片
８      複合弾性弁
８ａ    固定部
８ｂ    本体部
８ｃ    第１の環状舌片
８ｃ1   末端部（シール部）
８ｄ    第２の環状舌片
８ｄ１  末端部（シール部）
９      吸入パイプ
１０    パイプホルダ
１１    シール部材
１２    リングキャップ
Ｐ      ポンプユニット
Ａ１    開口部
Ａ２    貫通孔
Ａ３    噴出口
Ａ４    貫通孔
Ａ５    空気置換孔（貫通孔）
ｒ１    第１通路
ｒ２    第２通路
Ｓ１    充填空間
Ｓ２    ポンプ室
Ｓ３    肉抜き空間
【図１】
0005872331.tif 000002
【図２】
0005872331.tif 000003